【事件の表示】
　平成３年　特　許　願　第２３６０４８号「画像形成装置」拒絶査定に対する審判事件（平成５年３月２６日出願公開、特開平５−７２８３１）について、次のとおり審決する。
【結論】
　本件審判の請求は、成り立たない。
【理由】
１．手続の経緯・本願発明
　本願は、平成３年９月１７日の出願であって、その特許請求の範囲請求項１に係る発明は、平成９年８月７日付けの手続補正書により補正された明細書及び図面の記載からみて、その特許請求の範囲の請求項１に記載された下記のとおりのものと認める。
「【請求項１】内部に円柱状の像担持体が収納された装置本体に着脱可能なプロセスカートリッジと、前記装置本体に回動可能に設けられた支持部材と、前記像担持体に光を照射する前記支持部材に支持されたＬＥＤアレイと、前記ＬＥＤアレイに取り付けられ前記ＬＥＤアレイからの光を前記像担持体に結像させる集光部と、前記集光部の長手方向の両側近傍と前記プロセスカートリッジとのそれぞれに設けた互いに嵌合する嵌合部とを有し、前記支持部材の回動支点を中心とする前記ＬＥＤアレイと前記集光部から構成されたＬＥＤヘッドの移動する円弧上において前記嵌合部が互いに嵌合したときの接線方向が前記嵌合部と前記像担持体の中心を結ぶ線分の方向と同一方向であることを特徴とする画像形成装置。」
（以下、「本願発明」という。）
２．引用刊行物
　これに対して、原査定の拒絶の理由で引用した刊行物１乃至刊行物３には、下記事項が記載されている。
（１）刊行物１：実願昭６３−８７３３７号（実開平２−１０５４８号公報）のマイクロフィルム
　光プリントヘッドからのプリント情報を感光ドラムを介してプリントする電子写真プリンタに関するものである。
▲１▼実用新案登録請求の範囲には、
「（１）プリンタ装置本体の上面開口に開閉するアクセスカバーと、前記アクセスカバーの内面側で一端を枢支して開閉自在に成すとともに他端の下面に光プリントヘッドを取付けたヘッドホルダと、プロセスカートリッジに装填された状態で前記上面開口に出入自在に配置される感光ドラムと、から成る電子写真プリンタ。
（２）前記光プリントヘッドの両側に穿孔したホールと前記プロセスカートリッジに設けた一対のピンとを嵌着させることにより、前記光プリントヘッドと前記感光ドラムとを一定の位置関係に配置する請求項１記載の電子写真プリンタ。
（３）前記ヘッドホルダを閉じた際に光プリントヘッドに設けた電極面と、プリンタ装置本体内に設けた圧接コネクタとが接続し、前記光プリントヘッドに電源の供給及びプリント情報の送信を行う請求項１記載の電子写真プリンタ。」と記載されている。
▲２▼〈課題を解決するための手段〉において、第４頁第３行〜第１７行「プリンタ装置本体の上面開口に開閉するアクセスカバーと、前記アクセスカバーの内面側で一端を枢支して開閉自在に成すとともに、他端の下面に光プリントヘッドを取付けたヘッドホルダと、プロセスカートリッジに装着された状態で前記両面開口に出入自在に配置される感光ドラムと、から成る電子写真プリンタで、その光プリントヘッドの両側に穿孔したホールと、プロセスカートリッジに設けた一対のピントを嵌着させることにより、光プリントヘッドと感光ドラムとを一定の位置関係に配置し、かつ又ヘッドホルダを閉じた際に光プリントヘッドに設けた電極面と装置本体内に設けた圧接コネクタとが接続し、光プリントヘッドに電源の供給及びプリント情報の供給を自動的に行うものである。」と記載されている。
▲３▼光プリントヘッド４について、第６頁第１５行〜第１７行に「この光プリントヘッド４はＬＥＤアレイを用いたものや、液晶、更にはプラズマ等を用いたものが使用される。」と記載されている。
▲４▼アクセスカバー２を閉じる際の位置決めについて、第１図及び第２図を参照して、第８頁第１０行〜第９頁第１５行「次に上記構成の電子写真プリンタ１における感光ドラム６の出入れとその位置決めについて説明する。上述した如く感光ドラム６はプロセスカートリッジ５に装填されており、プロセスカートリッジ５を上面開口１２からプリンタ装置１１内に内設すれば感光ドラム６が所定の位置に設定される。そしてアクセスカバー２を矢印Ｂ方向に閉じれば、アクセスカバー２の内面２１に押されてヘッドホルダ３もその枢支軸Ｐを中心に矢印Ｃ方向に回動する。すなわち両者は連動する。この回動によって光プリントヘッド４はプロセスカートリッジ５に対し、第２図に示す状態に配置され、更にアクセスカバー２を押し下げて閉じれば、ホール４１，４１にピン５１，５１が嵌着する。この回動の際にヘッドホルダ３に狂いがあってもヘッドホルダ３と光プリントヘッド４間には弾性に富むコイルバネＳが介在しており、ピン５１，５１はホール４１，４１に誘導され正確に嵌着される。よって光プリントヘッド４と感光ドラム６は常に一定の位置関係となる。更にヘッドホルダ３が閉じると、電極面４２と圧接コネクタ７の圧接電極片７１が圧接する。光プリントヘッド４はコイルバネＳを介してヘッドホルダ３に取付けられており、又圧接電極片７１自体も弾力性を有するので上記位置決めと同時に圧接電極片７１と電極面４２は電気的に確実な圧接状態が得られる。」と記載されている。
　そして、上記各記載からみて、ＬＥＤアレイを用いた光プリントヘッド４が装置本体に回動可能に設けられたヘッドホルダ３に支持された構成であることは明らかであるとともに、ＬＥＤアレイを用いた場合に像支持体に結像させるべく集光部を備えることは慣用されていることであり、感光ドラム６が円柱状の像担持体であることも自明なことであることからして、
「内部に円柱状の像担持体６が収納された装置本体に着脱可能なプロセスカートリッジ５と、前記装置本体に回動可能に設けられた支持部材であるヘッドホルダ３と、前記像担持体に光を照射する前記支持部材に支持されたＬＥＤアレイと、前記ＬＥＤアレイに取り付けられ前記ＬＥＤアレイからの光を前記像担持体に結像させる集光部と、前記集光部の長手方向の両側近傍と前記プロセスカートリッジとのそれぞれに設けた互いに嵌合する嵌合部とを有し、前記嵌合部が互いに嵌合して光プリントヘッド４と感光ドラム６を常に一定の位置関係となすように構成された画像形成装置」が把握できる。
（２）刊行物２：実願昭６１−７８０２３号（実開昭６２−１８８７７７号公報）のマイクロフィルム
　レーザプリンタ、特に、記録紙の搬送系各部品を縦方向に配置したレーザプリンタに関するものである。
▲１▼実用新案登録請求の範囲には、
「（１）記録紙の搬送系各部品を縦方向に配置し、下部にペーパーデッキを設置すると共に、上部にスタッカを設けたレーザプリンタであって、駆動系各部品をドラム側に設置する一方、従動系各部品を背方開閉部側に設置して、この背方開閉部を開閉自在に構成してなることを特徴とするレーザプリンタ。」と記載されている。
▲２▼考案の効果として、第９頁第１７行〜第１０頁第７行には、
「記録紙の搬送系各部品を縦方向に配置し、下部にペーパーデッキを設置すると共に、上部にスタッカを設けたレーザプリンタであって、駆動系各部品をドラム側に設置する一方、従動系各部品を背方開閉部側に設置して、この背方開閉部を開閉自在に構成したものであるから、搬送系各部品の途中で記録紙がつまった場合には、従動系各部品を設置した背方開閉部を、ヒンジ機構により背方に開けてジャム処理を行うことができるので、このジャム処理が容易である。」と記載されている。
　したがって、これらの記載からみて、画像形成装置は、ジャム処理の修復及びメンテナンス等のために、装置本体内にアクセスする開閉自在構成を有するものであることが把握できる。
３．周知文献
（１）特開平２−３０２７６６号公報
　多色の現像剤を内蔵した複数の現像手段と像担持体とをもってカラープロセスカートリッジとし、装置本体に着脱自在に設けられ得るカラープロセスカートリッジを有する小型・軽量な電子写真カラー画像形成装置、特にコンパクトな構造のカラープリンタに関するものである。
▲１▼特許請求の範囲において「少なくとも像担持体及び複数現像手段とを一体的に交換可能なカラープロセスカートリッジとなし、該カラープロセスカートリッジの前記像担持体下部に複数現像手段を配設するとともに前記カラープロセスカートリッジとデジタル画像信号書込系とが相互に一定位置関係を保った結合手段を有する」と記載されている。
▲２▼結合手段については、第１図及び第２図を参照して、第５頁右上欄第２０行〜左下欄第１３行には、「また１００Ａおよび１００Ｂはプロセスカートリッジ３とレーザ書込み系ユニットＢの相対向する端部にそれぞれ取付けた各係合部材であって、前述した結合手段を構成するものである。
　前記係合部材１００Ａはプロセスカートリッジ３に対する取付面からの寸法精度を保たれた対向する取付面からの寸法精度を保たれた対向する上下一対の爪を有するチャンネル材状の部材であり、一方前記係合部材１００Ｂはレーザ書込み系ユニットＢに対する取付面からの寸法精度を保たれた上下一対の溝を有する同じくチャンネル材状の部材であって、前述した爪と溝の係合による一体化により、プロセスカートリッジ３とレーザ書込み系ユニットＢの相対的な間隔と姿勢を規制する結合手段として使用されるものである。」と記載されている。
（２）特開平３−６１９５７号公報
　上部筐体が下部筐体に対して開閉可能に配置され、かつ上部筐体にプロセスカートリッジを着脱可能に装着し、上部筐体を閉じた状態で使用する画像形成装置に関するものである。
▲１▼特許請求の範囲には、「上部筐体が下部筐体に対して開閉可能に配置され、かつ上部筐体にプロセスカートリッジを着脱可能に装着し、上部筐体を閉じた状態で使用する画像形成装置において、光学手段をユニット化した光学ユニットを上部筐体内で、かつプロセスカートリッジの装着位置より上側に、横方向及び上下方向に変位可能に、且つ下方へばね付勢して収納配置し、またプロセスカートリッジを上記光学ユニットの下側に横方向及び上下方向に変位可能に、かつ下方へばね付勢して装着し、上部筐体を閉じた状態でプロセスカートリッジを下部筐体に位置決め係合すると共に、プロセスカートリッジと光学ユニットとを位置決め係合したことを特徴とする」と記載されている。
▲２▼効果については、第３頁右下欄第１５行〜第４頁左上欄第１１行に「本発明によれば、光学手段をユニット化した光学ユニットを、プロセスカートリッジと共に上部筐体内に収納配置したことにより、この両者の位置決めを簡単な構造で、かつ精度よく行うことが出でき、また上記両者の位置決めがプロセスカートリッジの感光ドラムの軸方向両側の軸心上にて行われて、画像のピッチムラを目立たなくすることができ、さらに、上記プロセスカートリッジと光学ユニットとの位置決めを、光学系の光路方向だけでなく、感光ドラムの軸方向にも精度よく位置決めすることができ、そしてさらに、プロセスカートリッジの感光ドラムを支持する部材にて直接行われ、プロセスカートリッジの他の構成部材の精度に影響されることなく両者の位置決め精度を向上することができる。」と記載されている。
４．対比・判断
（１）本願発明と刊行物１に記載の発明との対比・判断
　本願発明と、刊行物１に記載の発明とを対比すると、両者は、
「内部に円柱状の像担持体が収納された装置本体に着脱可能なプロセスカートリッジと、前記装置本体に回動可能に設けられた支持部材と、前記像担持体に光を照射する前記支持部材に支持されたＬＥＤアレイと、前記ＬＥＤアレイに取り付けられ前記ＬＥＤアレイからの光を前記像担持体に結像させる集光部と、前記集光部の長手方向の両側近傍と前記プロセスカートリッジとのそれぞれに設けた互いに嵌合する嵌合部とを有し、前記嵌合部が互いに嵌合するように構成された画像形成装置」
である点で共通する。
　しかしながら、両者は以下の点で相違している。
　本願発明においては、「前記支持部材の回動支点を中心とする前記ＬＥＤアレイと前記集光部から構成されたＬＥＤヘッドの移動する円弧上において前記嵌合部が互いに嵌合したときの接線方向が前記嵌合部と前記像担持体の中心を結ぶ線分の方向と同一方向であること」と限定されているのに対して、
　刊行物１に記載の発明においては、嵌合部が互いに嵌合した際に、光プリントヘッド４と感光ドラム６を常に一定の位置関係となすことは把握できるものの、当該限定が記載されていない点。
　まず、刊行物１に記載される発明が有する構成を記載内容を参酌して、さらに詳細に検討する。
　前記２．（１）▲２▼▲４▼の記載には、刊行物１に記載された発明においては、「光プリントヘッドの両側に穿孔したホールと、プロセスカートリッジに設けた一対のピンとを嵌着させることにより、光プリントヘッドと感光ドラムとを一定の位置関係に配置し、かつ又ヘッドホルダを閉じた際に光プリントヘッドに設けた電極面と装置本体内に設けた圧接コネクタとが接続し、光プリントヘッドに電源の供給及びプリント情報の供給を自動的に行うもの」であることが記載されている。
　この記載によれば、プリンタ装置本体の上面開口に開閉するアクセスカバーを閉じることで、このアクセスカバーに支持された他端の下面に光プリントヘッドを取付けたヘッドホルダを閉じることになり、その際に光プリントヘッドに設けた電極面と装置本体内に設けた圧接コネクタとが接続し、光プリントヘッドに電源の供給及びプリント情報の供給を自動的に行われること、が把握できる。
　そして、前記２．（１）▲４▼の記載「この回動の際にヘッドホルダ３に狂いがあってもヘッドホルダ３と光プリントヘッド４間には弾性に富むコイルバネＳが介在しており、ピン５１，５１はホール４１，４１に誘導され正確に嵌着される。よって光プリントヘッド４と感光ドラム６は常に一定の位置関係となる。」とあるように、
　したがって、特に明記はされないものの、ヘッドホルダ３を閉じる方向に回動すると結果として、ピン５１，５１はホール４１，４１に誘導され正確に嵌着されるのであるから、当然に、嵌合部を形成しているホール４１，４１はヘッドホルダ３の回動支点を中心とする円弧上にあることになる。
　そして、刊行物１に記載された発明においては、前記▲４▼に記載されるごとく、「ヘッドホルダ３と光プリントヘッド４間には弾性に富むコイルバネＳが介在」される構成を備えている。そして、このコイルバネＳの働きは、「回動の際にヘッドホルダ３に狂いがあっても・・・ピン５１，５１はホール４１，４１に誘導され正確に嵌着される。よって光プリントヘッド４と感光ドラム６は常に一定の位置関係となる。」とあるように、位置ずれを修正する機能を期待するものである。
　確かに、この刊行物１において、嵌合部であるピン５１，５１とホール４１，４１とが互いに嵌合したときの接線方向が、前記嵌合部と前記像担持体の中心を結ぶ線分の方向と同一方向であるか否かは、明記されているとはいえない。
　一方、本願発明においても、特許請求の範囲に限定されてはいないものの、【実施例】についての記載において、「図１において、３４はＬＥＤヘッド４の保持部材であり、外装カバー２８に固定されている。圧縮バネ３６は保持部材３４とＬＥＤヘッド４との間に配設されており、常時ＬＥＤヘッド４を光軸方向に像担持体１から離隔させるような方向に力が働くよう構成されている。また、プロセスカートリッジ２６の外装枠体２７には、ＬＥＤヘッド４の両端に設けられた位置決め孔３８と嵌合するような左右２箇所に突起３９が設けてある。回転支点４１を中心として外装カバー２８が閉じられると、圧縮バネ３６はＬＥＤヘッド４を光軸方向に押圧するとともに、ＬＥＤヘッドを介してプロセスカートリッジ２６を付勢する。かつ、給紙用トレー１４は外装カバー２８が閉じられるのと連動して、転写紙１５を装填可能な位置まで移動する。」と記載されているように、圧縮バネ３６を設けて、これによりＬＥＤヘッド４を光軸方向に押圧して、位置決めを支援するように構成されている。
　そして、その位置決め方法についての、同じく【実施例】の記載「次に、プロセスカートリッジ２６とＬＥＤヘッド４との位置決め方法について図面を参照しながら説明する。
　図２は本発明の一実施例における画像形成装置の像担持体とＬＥＤヘッドとの位置決め方法を示す概略図である。尚、図中二点鎖線は外装カバー２８を閉めていった時のＬＥＤヘッド４の軌跡を示す。ＬＥＤヘッド４は外装カバー２８の開閉動作に連動して、回転支点４１を中心としてＥ点からＦ点間を円弧を描きながら移動する。そして、プロセスカートリッジ２６の外装枠体２７に設けられた左右２箇所の突起３９と、ＬＥＤヘッド４の両端に設けられた位置決め孔３８とが嵌合することで、像担持体１とＬＥＤヘッド４との位置決めがなされる。
　この時、回転支点４１はこの位置決めがなされる部分と像担持体１の中心を結ぶ線分、すなわちＬＥＤヘッドの光軸に対してほぼ垂直方向にある。言い替えると、回転支点４１を中心としたＬＥＤヘッド４の円弧移動の接線方向と、位置決め点４３と像担持体１の中心を結ぶ線分の方向が一致していることになる。つまり、ＬＥＤヘッド４を介してプロセスカートリッジ２６を付勢する効果が最良となる位置に回転支点４１を設けることになる。」からも、「圧縮バネ３６」が位置決めを支援していることは把握できる。
　しかしながら、刊行物１に記載された発明においても、同様に機能するコイルバネＳが存在することは、前記したとおりである。
　そして、本願発明の「圧縮バネ３６」及び刊行物１に記載の発明の「コイルバネＳ」による付勢は、これらが付勢する方向が適切に選択されることが必須の要件となる。
　してみると、本願発明においては、この必須の要件を明記したにすぎないものである。
　また、画像形成装置の技術分野に拘わらず、どの技術分野においても、開閉可能な開閉部材を設け、これを閉じた際に位置決めを図る構成において、最終的に閉じられる際に、位置決めを意図して設けた嵌合部が円滑な嵌合作用を行い得るように、嵌合部の移動方向を開閉部材が移動する方法と合わせるように構成することは、きわめて一般的な工夫であって格別なものとはいえない。
　ちなみに、３．周知文献として掲げた（１）特開平２−３０２７６６号公報及び（２）特開平３−６１９５７号公報においては、結合あるいは係合手段は感光ドラム部材と光学部材とを一定位置関係に保つための位置決めを同時に行っており、画像形成装置の技術分野においては、結合あるいは係合手段を構成する際に、当然に位置決めが図られるように構成することは技術常識といえる。
　したがって、前記相違点は、当業者が必要に応じて容易に構成し得た程度のものであって、格別なものとはいえず、それによる作用効果も当業者であれば充分に予測可能なものである。
　以上のごとくであるから、本願発明は、刊行物１に記載された発明に対して、周知事項を前提として当業者が適宜なし得る設計的事項を施したに過ぎないものである。
５．むすび
　したがって、本願の請求項１に係る発明は、刊行物１、刊行物２及び周知事項に基づいて当業者が容易に発明をすることができたものであるから、特許法第２９条第２項の規定により、特許を受けることができない。
　よって、結論のとおり審決する。